(57)【特許請求の範囲】
【請求項１】
遊技機本体に設けられたガラスの取付構造であって、
前記遊技機本体に設けられた軸受部と、
前記軸受部に軸支可能な軸部が一方の側面に設けられ、前記遊技機本体に対して回動可能なガラス枠と、
前記ガラス枠の他方の側面に形成された収納口と、
一定の間隔を保持して複数のガラスが装着され、前記収納口から横方向へスライドして、前記ガラス枠内に収納されたガラスホルダーと、
前記ガラス枠に、前記遊技機本体側へ傾倒可能に設けられ、傾倒して遊技機本体の表面に当接しガラス枠の閉止を防止すると共に、起立して前記収納口の一部を覆うストッパーと、
を有することを特徴とするガラスの取付構造。
【請求項２】
前記ガラスホルダーの側面に引っ掛け部が形成されたことを特徴とする請求項１に記載のガラスの取付構造。
【請求項３】
前記ガラスホルダーの下部に設けられた抜け防止部と、
前記ガラス枠の下面に設けられ、抜け防止部と係合してガラスホルダーがガラス枠から抜けないようにする係合部と、
を有することを特徴とする請求項１又は２に記載のガラスの取付構造。
【請求項４】
前記ガラス枠の上面に配置され、前記ガラスホルダーをガラス枠の下面へ押圧する弾性部材が設けられたことを特徴とする請求項１〜３の何れか１項に記載のガラスの取付構造。
【発明の詳細な説明】
【０００１】
【発明の属する技術分野】
本発明は、遊技機本体に設けられたガラスの取付構造に関する。
【０００２】
【従来の技術】
図９に示すように、パチンコ機本体１００には、矩形孔１０２が形成されており、矩形孔１０２の奥方には遊技盤１０４が配置されている。矩形孔１０２の縁部には、ガラス枠１０６が軸支されており、パチンコ機本体１００に対して回動可能となっている。
【０００３】
このガラス枠１０６にはガラス１０８が嵌め込まれており、ガラス１０８によって遊技盤１０４が覆われる。このガラス１０８は、磁石でパチンコ玉の動きを操作する等の不正行為を防止するため２枚構造となっており、所定の間隔を設けて配置されている。
【０００４】
ガラス１０８を交換するとき、ガラス枠１０６を開放してガラス枠１０６の上方に設けられた装着口１１０よりガラス１０８を取出して行うが、遊技盤１０４側のガラス１０８を交換する場合には、ガラス枠１０６を大きく開放させる必要がある（図１０参照）。
【０００５】
しかし、営業時間中にガラス１０８を交換する場合、ガラス枠１０６をあまり大きく開放させると、パチンコ機本体１００の左側に配置された遊技球補給機から突出して設けられた遊技球補給用桶の上方にガラス枠１０６が位置し、他の遊技者の迷惑になってしまう。
【０００６】
一方、殆どの遊技者は遊技盤１０４内の遊技領域であるゲージ部１１２の左半分で遊技を行うため、ゲージ部１１２の左半分の遊技釘１１４の釘調整に不都合があるということは非常に問題である。
【０００７】
このため、ゲージ部１１２の左半分は、特に念入りに調整したいが、遊技釘１１４の釘調整を行う場合、遊技釘１１４の調整工具として通常使われているハンマーを振り上げたとき、ガラス１０８に接触してガラス１０８を破損させる恐れもあるため、釘調整中はガラス枠１０６を大きく開放させる必要がある。
【０００８】
ここで、パチンコ機本体１００の正面デザインを豊かにする方策として、立体的なデザイン構成が考えられるが、ガラス枠１０６が軸支されるヒンジ部側のパチンコ機本体１００の正面の突出量を大きくすると、ガラス枠１０６を十分に開放できなくなってしまうため、デザイン上の規約が必要となる。
【０００９】
【発明が解決しようとする課題】
本発明は上記事実を考慮し、ガラス枠を少し開放させただけでガラスの着脱ができ、また、遊技盤面の左半分の遊技釘の釘調整を行うことができることを課題とする。
【００１０】
【課題を解決するための手段】
請求項１に記載の発明では、ガラス枠の一方の側面には、遊技機本体に設けられた軸受部に軸支可能な軸部が設けられており、遊技機本体に対して回動可能となっている。ガラス枠の他方の側面には、収納口が形成されており、この収納口からガラスホルダーが挿入され、ガラス枠内に収納される。ガラスホルダーには一定の間隔を保持して複数のガラスが装着されており、ガラスホルダーを介して複数のガラスが一度にガラス枠の横方向へスライド可能となっている。
【００１１】
このように、ガラス枠の側面に収納口を形成することによって、従来のようにガラスを縦方向へスライドさせるのではなく、横方向へスライドさせることができるため、背の低い作業者でもガラスの着脱作業を容易に行うことができる。また、ガラス枠を僅かに開放するだけで、ガラスホルダーを介してガラスの着脱が可能となる。
【００１２】
さらに、ガラス枠を僅かに開放し、ガラスホルダーを横方向へ適当量（半分程度）スライドさせると、遊技領域の左半分は開放された状態（ガラスがない状態）となるため、この状態で遊技領域の左半分の遊技釘の釘調整が可能となる。
【００１３】
このとき、釘調整で使用するハンマーの移動軌跡上にはガラスが存在しないため、ハンマーを振り上げたときにハンマーがガラスに当たってガラスが破損するなどの問題は生じない。
【００１４】
また、ハンマーの移動軌跡上にガラスは存在しないため、釘調整を行い易く作業効率が向上する。さらに、複数のガラスが装着されたガラスホルダーを用いることにより、釘調整を行う場合、複数のガラスを一度にスライドさせることができるため、作業効率も良い。
【００１５】
一方、遊技機本体の正面デザインを立体的にして、遊技機本体の正面の突出量を大きくすると、従来のガラス枠では、遊技機本体の正面に当接して、十分に開放できなくなってしまうため、デザイン上の規約が必要となるが、本構成ではガラス枠を大きく開放させる必要がないため、ガラス枠を含めた遊技機本体の正面デザインの立体的な自由度が向上する。
【００１６】
また、ガラス枠を大きく開放させる必要がないため、営業時間中にガラスを交換する場合でも、他の遊技者、特に隣の席に着座している遊技者の邪魔になることはない。
【００１７】
さらに、ガラス枠に遊技機本体側へ傾倒可能なストッパーを設けており、ストッパーを傾倒させることで遊技機本体の表面に当接してガラス枠の閉止を防止し、ガラスの着脱などの作業時に誤ってガラス枠が閉止しないようにすることができる。
【００１８】
また、ストッパーを略起立させ収納口の一部を覆うようにすることで、ガラスホルダーの飛出しを防止することができる。
【００１９】
請求項２に記載の発明では、ガラスホルダーの側面に引っ掛け部を設けている。これにより、ガラス枠内へ収納されたガラスホルダーを容易に引出せるようにしている。
【００２０】
請求項３に記載の発明では、ガラスホルダーの下部に、抜け防止部を設けている。一方、ガラス枠の下面には、係合部を設けており、抜け防止部と係合してガラスホルダーがガラス枠から容易に抜けないようにしている。
【００２１】
請求項４に記載の発明では、ガラス枠の上面に弾性部材を配置し、この弾性部材でガラスホルダーをガラス枠の下面へ押圧するようにしている。これにより、ガラスホルダーがガラス枠内に収納された状態で、ガラスホルダーの下部がガラス枠の下面に当接し、ガラスホルダーがガラス枠に対してガタつかないようにしている。
【００２２】
【発明の実施の形態】
図１及び図２には、本形態に係るガラスの取付構造が用いられたパチンコ機本体１０が示されている。パチンコ機本体１０には、矩形孔１２が形成されており、矩形孔１２の奥方には遊技盤１４が配置されている。矩形孔１２の周縁には、矩形状のガラス枠１６の外周が当接可能となっている。
【００２３】
図３及び図４に示すように、ガラス枠１６の上下面からは一対の支持片１８、２０が延出しており、支持片１８からは軸部２２が上方へ向かって突出し、支持片２０からは軸部２４が下方へ向かって突出している。
【００２４】
この軸部２２、２４は、それぞれ矩形孔１２の左側部の上下に設けられた図示しない軸受部に軸支可能となっている。これにより、ガラス枠１６はパチンコ機本体１０に対して軸部２２、２４を中心に回動することとなる。
【００２５】
また、ガラス枠１６の一方の側面には、矩形状の収納口２６が形成されており、この収納口２６はガラス４６が装着されたガラスホルダー２８（後述する）が挿通可能な大きさとなっている。
【００２６】
一方、ガラス枠１６の他方の側面の内側、内側上面１６Ａ及び内側下面１６Ｂの中央部は連続して凹設されており、ガラスホルダー２８が収納可能な幅となっている。このため、ガラスホルダー２８は、ガラス枠１６の内側上面１６Ａ及び内側下面１６Ｂへ案内されてガラス枠１６内へ収納される。
【００２７】
このように、ガラス枠１６の側面に収納口２６を形成することによって、従来のようにガラスを縦方向へスライドさせるのではなく、横方向へスライドさせることができるため、背の低い作業者でもガラス４６の着脱作業を容易に行うことができる。また、ガラス枠１６を僅かに開放するだけで、ガラスホルダー２８を介してガラス４６の着脱が可能となる。
【００２８】
ここで、ガラス枠１６の内側上面１６Ａには、くの字状に折り曲げられた複数の板バネ３０が取付けられており、頂部３０Ａがガラス枠１６の厚み方向に対して平行となっている。
【００２９】
このため、ガラスホルダー２８をガラス枠１６の奥方へスライドさせると、ガラスホルダー２８の天面によって板バネ３０は押し伸ばされ、ガラスホルダー２８がガラス枠１６内へ収納されると、板バネ３０はガラスホルダー２８の天面を押圧してガラスホルダー２８の下部をガラス枠１６の内側下面１６Ｂに当接させ、ガラスホルダー２８がガラス枠１６に対してガタつかないようにしている。
【００３０】
また、ガラス枠１６の収納口２６側の内側下面１６Ｂには、段部３２が凸設されており、後述するガラスホルダー２８に形成された抜け防止部３４が当接して、ガラスホルダー２８がガラス枠１６から容易に抜けないようにしている。
【００３１】
一方、ガラス枠１６の収納口２６の下方には、弾性を有する合成樹脂で成形された回転式のストッパー３６が設けられている。このストッパー３６は図５（Ａ）、（Ｂ）に示すように、ガラス枠１６の側面に当接した状態で固定ピン３８によって取付けられており、固定ピン３８を中心に回転可能となっている。
【００３２】
ストッパー３６は略長方形状を成す頭部４０と頭部４０よりも幅の狭い腕部４２とで構成されており、図６に示すように、頭部４０の幅は収納口２６の幅よりも広く、ガラス枠１６の幅よりも狭くなっている。頭部４０の裏面からは、押え部４０Ａが凸設されており、押え部４０Ａの幅は収納口２６の幅よりも若干小さくなっており、収納口２６へ嵌め込み可能となっている。
【００３３】
これにより、後述するガラスホルダー２８をガラス枠１６内に収納した後、ストッパー３６を起立させると、押え部４０Ａが収納口２６を塞ぎ、ガラスホルダー２８の側面に当接して、ガラスホルダー２８の横方向の移動を規制する。
【００３４】
また、図５（Ａ）に示すように、ガラス枠１６の下方には、ストッパー３６の軸部付近にピン４４が突出している。ストッパー３６を撓ませ、押え部４０Ａの収納口２６への嵌め込みを解除させた後、図５（Ｂ）に示すように、９０度回転させた位置でストッパー３６が当接するようにピン４４は位置決めされており、ストッパー３６は９０度回転させた位置で保持される。
【００３５】
ところで、ガラス枠１６の右側部には、図示しない係合部が設けられている。一方、矩形孔１２（図２参照）の右側部には、係合部に係合可能な被係合部（図示省略）が配置されている。このため、ガラス枠１６に設計値以上のトルクで矢印Ａ方向の負荷を掛けると、ガラス枠１６の係合部（図示省略）がパチンコ機本体１０の被係合部に係合され、ガラス枠１６はパチンコ機本体１０に閉止される。
【００３６】
ここで、ストッパー３６は、押え部４０Ａがガラスホルダー２８の側面に当接した状態では、矩形孔１２内に収納され、ガラス枠１６が閉止されるようになっているが、図２及び図７に示すように、ストッパー３６を回転させてピン４４（図５（Ａ）参照）に当接させた状態では、ガラス枠１６を閉止させようとしても、ストッパー３６の先端部がパチンコ機本体１０の表面に当接してガラス枠１６が閉止できないようになっている。これにより、ガラス４６の交換などの作業時に誤ってガラス枠１６が閉止しないようにしている。
【００３７】
なお、ストッパー３６の形状はこれに限るものではなく、頭部の左右にスリットを形成して押え部を弾性変形し易くしても良い。また、本形態では、ストッパー３６を回転させて、ガラスホルダー２８の横方向の移動を規制する機能と、ガラス枠１６の閉止を防止する機能と、を得るようにしたが、必ずしもストッパー３６を回転させなければならないものではない。
【００３８】
このため、折り畳み式のストッパーを用い、ストッパーが折り畳まれた状態でガラスホルダー２８の収納口を塞いでガラスホルダー２８の横方向の移動を規制し、ストッパーを広げた状態でガラス枠の側面から張り出させ、ガラス枠１６の閉止を防止するようにしても良い。
【００３９】
また、少なくともストッパーには、ガラス枠１６の閉止を防止する機能が得られれば良いため、必ずしもガラスホルダー２８の横方向の移動を規制する機能を兼ね備えていなければならないことはない。
【００４０】
次に、ガラスホルダー２８について説明する。
【００４１】
図８に示すように、ガラスホルダー２８は矩形状をしており、ガラス枠１６内に収納可能な大きさとなっている。ガラスホルダー２８の天面には装着口４８が形成されており、ガラス４６が挿入可能となっている。ガラスホルダー２８の内面には、２本のガイドレール５０が凹設されており、このガイドレール５０に沿って２枚のガラス４６がそれぞれ案内され、ガラスホルダー２８へ装着される。
【００４２】
ガラスホルダー２８の一方の側面には、引っ掛け部としての引出し用穴５２が形成されている。この引出し用穴５２は指が挿入可能な大きさとなっており、引出し用穴５２に指を引っ掛けてガラスホルダー２８を横方向へ移動させることができる。これにより、ガラス枠１６内へ収納されたガラスホルダー２８を容易に引出すことができるようになっている（後述する）。
【００４３】
以上のような構成により、ガラス４６が装着されたガラスホルダー２８をガラス枠１６内に収納することによって、少なくともガラスホルダー２８の側面が全て露出する分だけガラス枠１６を回動させるだけで、ガラスホルダー２８を介してガラス４６の取外しが可能となる。このため、ガラス枠１６を大きく開放させる必要がないので、営業時間中にガラスを交換する場合でも、他の遊技者の迷惑になることはない。
【００４４】
なお、ここでは、引っ掛け部としてガラスホルダー２８の側面に引出し用穴５２を形成したが、ガラスホルダー２８を引っ掛けることができれば良いため、これに限るものではなく、ガラスホルダー２８の側面からＬ字状に張り出す引っ掛け片を設けても良い。
【００４５】
一方、ガラスホルダー２８の下部中央から他方の側面（引出し用穴５２が形成された側面と対面する側面）側に渡って抜け防止部３４が凸設されている。図３に示すように、ガラスホルダー２８をガラス枠１６内へ収納するとき、抜け防止部３４の下部が、ガラス枠１６の内側下面１６Ｂに凸設された段部３２（係合部）の天面を摺動し、抜け防止部３４が段部３２を通過すると、抜け防止部３４の下部はガラス枠１６の内側下面１６Ｂに当接する。
【００４６】
ここで、抜け防止部３４の高さと段部３２の高さは略同一となっている。このため、抜け防止部３４の下部はガラス枠１６の内側下面１６Ｂに当接すると共に、ガラスホルダー２８の下部が段部３２の天面に当接する。
【００４７】
このとき、前述したように、ガラスホルダー２８は板バネ３０によりガラス枠１６の内側下面１６Ｂ側へ押圧されるため、ガラスホルダー２８がガラス枠１６に対してガタつくことはない。
【００４８】
一方、ガラスホルダー２８をガラス枠１６内から引出すときは、抜け防止部３４がガラス枠１６に形成された段部３２の側面に当接してガラスホルダー２８の移動が規制され、ガラスホルダー２８がガラス枠１６から抜け落ちることを防いでいる。
【００４９】
この状態で、ガラスホルダー２８を持ち上げると、ガラスホルダー２８をガラス枠１６の内側下面１６Ｂへ向かって付勢している板バネ３０はガラスホルダー２８の天面によって押し広げられるため、抜け防止部３４が段部３２を乗り越えることができる。
【００５０】
これにより、ガラスホルダー２８はガラス枠１６から完全に取外すことができる。一方、抜け防止部３４がガラス枠１６に形成された段部３２に当接してガラスホルダー２８の移動が規制された状態では、遊技盤１４の遊技領域であるゲージ部５４の左半分は開放された状態となっている。
【００５１】
このため、この状態でゲージ部５４の左半分の釘調整は可能となる。このとき、釘調整で使用するハンマーの移動軌跡上にはガラス４６が存在しないため、ハンマーを振り上げたときにハンマーがガラス４６に当たってガラス４６が破損するなどの問題は生じない。
【００５２】
また、ハンマーの移動軌跡上にガラス４６は存在しないため、釘調整を行い易く、作業効率が向上する。さらに、複数のガラス４６が装着されたガラスホルダー２８を用いることにより、釘調整を行う場合、複数のガラス４６を一度にスライドさせることができるため、作業効率も良い。
【００５３】
一方、パチンコ機本体１０の正面デザインを立体的にして、パチンコ機本体の正面の突出量を大きくすると、従来のガラス枠では、パチンコ機本体の正面に当接して、十分に開放できなくなってしまうため、デザイン上の規約が必要となるが、本形態ではガラス枠１６を大きく開放させる必要がないため、ガラス枠１６を含めたパチンコ機本体１０の正面デザインの立体的な自由度が向上する。
【００５４】
なお、ここでは、ガラスホルダー２８に抜け防止部３４を凸設し、ガラス枠１６の内側下面１６Ｂに段部３２を凸設して抜け防止部３４を段部３２に係合させたが、ガラスホルダー２８の横方向の移動が規制できれば良いため、これに限るものではなく、抜け防止部を凹設して段部を係合させても良い。
【００５５】
【発明の効果】
本発明は上記構成としたので、請求項１に記載の発明では、ガラス枠の側面に収納口を形成することによって、従来のようにガラスを縦方向へスライドさせるのではなく、横方向へスライドさせることができるため、背の低い作業者でもガラスの着脱作業を容易に行うことができる。また、ガラス枠を僅かに開放するだけで、ガラスホルダーを介してガラスの着脱が可能となる。
【００５６】
さらに、ガラス枠を僅かに開放し、ガラスホルダーを横方向へ適当量（半分程度）スライドさせると、遊技領域の左半分は開放された状態（ガラスがない状態）となるため、この状態で遊技領域の左半分の遊技釘の釘調整が可能となる。このとき、釘調整で使用するハンマーの移動軌跡上にはガラスが存在しないため、ハンマーを振り上げたときにハンマーがガラスに当たってガラスが破損するなどの問題は生じない。
【００５７】
また、ハンマーの移動軌跡上にガラスは存在しないため、釘調整を行い易く作業効率が向上する。さらに、複数のガラスが装着されたガラスホルダーを用いることにより、釘調整を行う場合、複数のガラスを一度にスライドさせることができるため、作業効率も良い。
【００５８】
一方、遊技機本体の正面デザインを立体的にする場合、従来のガラス枠では遊技機本体の正面の突出量を大きくすると、ガラス枠が遊技機本体の正面に当接して、十分に開放できなくなってしまうため、デザイン上の規約が必要となるが、本構成ではガラス枠を大きく開放させる必要がないため、ガラス枠を含めた遊技機本体の正面デザインの立体的な自由度が向上する。
【００５９】
また、ガラス枠を大きく開放させる必要がないため、営業時間中にガラスを交換する場合でも、他の遊技者、特に隣の席に着座している遊技者の邪魔になることはない。さらに、ガラス枠に遊技機本体側へ傾倒可能なストッパーを設けており、ストッパーを傾倒させることで遊技機本体の表面に当接してガラス枠の閉止を防止し、ガラスの着脱などの作業時に誤ってガラス枠が閉止しないようにすることができる。また、ストッパーを略起立させ収納口の一部を覆うようにすることで、ガラスホルダーの飛出しを防止することができる。
【００６０】
請求項２に記載の発明では、ガラスホルダーの側面に引っ掛け部を設けている。これにより、ガラス枠内へ収納されたガラスホルダーを容易に引出せるようにしている。
【００６１】
請求項３に記載の発明では、ガラスホルダーがガラス枠から容易に抜けないようにしている。請求項４に記載の発明では、ガラスホルダーがガラス枠内に収納された状態で、ガラスホルダーの下部がガラス枠の下面に当接し、ガラスホルダーがガラス枠に対してガタつかないようにしている。
【図面の簡単な説明】
【図１】本形態に係るガラスの取付構造に用いるガラス枠が閉止された状態を示すパチンコ機本体の斜視図である。
【図２】本形態に係るガラスの取付構造に用いるガラス枠が開放された状態を示すパチンコ機本体の斜視図である。
【図３】本形態に係るガラスの取付構造に用いるガラスホルダーをガラス枠内に収納している状態を示すパチンコ機本体の正面図である。
【図４】本形態に係るガラスの取付構造に用いるガラスホルダーが収納されたガラス枠を示す斜視図である。
【図５】本形態に係るガラスの取付構造に用いるガラス枠を示す斜視図であり、（Ａ）はガラス枠に設けられたストッパーがガラスホルダーの移動を規制している状態を示し、（Ｂ）はストッパーを回転させた状態を示している。
【図６】（Ａ）は図５（Ａ）のＡ−Ａ断面図である。
【図７】本形態に係るガラス取付構造に用いるガラス枠に設けられたストッパーがパチンコ機本体の表面に当接している状態を示す概略平面図である。
【図８】本形態に係るガラス取付構造に用いるガラスホルダーにガラスを装着している状態を示す斜視図である。
【図９】従来のガラス枠に形成されたガラスの装着口を示すパチンコ機本体の斜視図である。
【図１０】従来のガラス枠に形成されたガラスの装着口を示すパチンコ機本体の概略平面図である。
【符号の説明】
１０      パチンコ機本体
１６      ガラス枠
２６      収納口
２８      ガラスホルダー
３０      板バネ（弾性部材）
３２      段部（係合部）
３４      抜け防止部
３６      ストッパー
５２      引出し用穴（引っ掛け部）
【図１】
0003559756.tif 000002
【図２】
0003559756.tif 000003
【図３】
0003559756.tif 000004
【図４】
0003559756.tif 000005
【図５】
0003559756.tif 000006
【図６】
0003559756.tif 000007
【図７】
0003559756.tif 000008
【図８】
0003559756.tif 000009
【図９】
0003559756.tif 000010
【図１０】
0003559756.tif 000011